(57)【特許請求の範囲】
【請求項１】
遊技板の下側に位置する基台前面に傾斜状に設置された発射レールの基端部に送り込まれた遊技球を、叩打部材の打撃力で遊技板面に向けて打ち出すようにしたパチンコ機の発射装置において、
前記発射レールの基端部上方に臨む部位で前記基台の前面に支点を設定すると共に該支点から発射レールの基端部に向け自由端である下端側を臨ませるようにして球止め部材を垂下させ、
該球止め部材の下端側の遊技球に向かう前面を平面部にして発射レールの基端部に送り込まれた遊技球を点接触状態で当て止めるようになし、さらに球止め部材の下端側の後面を前記叩打部材で叩打することにより、球止め部材の下端側を傾動変移させて遊技球を打ち出すようにしたことを特徴とする発射装置。
【請求項２】
前記球止め部材を、前記基台の前面に対して取付部材を介して取り付けるようになし、さらに前記取付部材に、球止め部材の戻り振動を吸収するための緩衝部材を設けたことを特徴とする請求項１記載の発射装置。
【請求項３】
前記球止め部材は、弾性を有する短冊形状の帯板であり、その上端を固定的な支点として基台側に取り付けたものであることを特徴とする請求項１又は２記載の発射装置。
【請求項４】
前記球止め部材の支点が、基台側に対して回動可能であることを特徴とする請求項１又は２記載の発射装置。
【発明の詳細な説明】
【０００１】
【発明の属する技術分野】
この発明は、パチンコ機における球の発射装置に関する。
【０００２】
【従来の技術】
パチンコ機の発射装置において、ハンドルの位置を手で固定し弾発力を一定にしていても、球の球飛びにムラを生じる場合がよくあり、この球飛びのムラは遊技者をいらつかせる原因となっている。これは、球を叩打する槌先が振動し、球を弾く際の叩打位置が不安定となるからである。また、槌を含む発射装置を取付ける際に、槌先が球の中心を叩打するように取付けるのであるが、槌先を球の中心に合わせることは極めて困難となる問題がある。これを解決するため、例えば特開平７−１１２０５７号公報には、槌機構により槌先の移動方向を一定にし、叩打位置を安定させるという内容の発明が開示されている。
【０００３】
【発明が解決しようとする課題】
しかしながら、この発明によると槌先の移動方向は安定するのであるが、
(1) 棒状の槌先で球を弾いているため、その軸心と球中心の間にどうしても多少のズレを生じる。
(2) 構成が複雑となりコスト高になる。
等の問題点がある。本発明は、上記従来の問題点を解決するためになされたもので、簡単な構成で球の叩打位置を一定にすることができ、球飛びのムラを無くすことのできるパチンコ機の発射装置を提供することを目的とするものである。
【０００４】
【課題を解決するための手段】
上記技術課題を解決するため本発明は、遊技板の下側に位置する基台前面に傾斜状に設置された発射レールの基端部に送り込まれた遊技球を、叩打部材の打撃力で遊技板面に向けて打ち出すようにしたパチンコ機の発射装置において、
前記発射レールの基端部上方に臨む部位で前記基台の前面に支点を設定すると共に該支点から発射レールの基端部に向け自由端である下端側を臨ませるようにして球止め部材を垂下させ、
該球止め部材の下端側の遊技球に向かう前面を平面部にして発射レールの基端部に送り込まれた遊技球を点接触状態で当て止めるようになし、さらに球止め部材の下端側の後面を前記叩打部材で叩打することにより、球止め部材の下端側を傾動変移させて遊技球を打ち出すようにした。
上記構成に基いて、発射レールに供給される球は、発射方向と直交状に発射レールの端部に臨まれた球止め部材の先端平面部に受止められて、同先端平面部は球の中心を通る発射方向の線上で点接触されていることから、この先端平面部の接触点の後部側を叩打することで球の中心を叩打することとなり、球は発射方向へ発射される。このことは連打状態にあって、球が連続的に供給されても先端平面部に対し常に一定の接触点で受止められるので接触点の変位はない。これによりハンドルの位置を手で固定することで球の飛びが一定されて飛びムラを解消することができ、遊技者は苛立つことがない。また、球は先端平面部に対し常に一定の接触点で受止められるので、槌先に若干のズレを生じたとしても、球は先端平面部と接触点で受止められて一定の飛びとなるので叩打部材の叩打位置の調節が容易となる。
【０００５】
【実施の形態】
次に、本発明の第１の実施形態を図１ないし図４にしたがって説明すると、図１はパチンコ機における発射装置２回りの正面図、図２は発射レール３上の球Ｗと槌先７と介打機構Ａの球止め部材（以下、平面部材ともいう）１０との関係を示す正面図であって、この発射レール３は遊技板（図示せず）の下部に設けられた基台１の所定の位置に球Ｗの発射方向に所定の角度で取付けられ、同レール３には略Ｖ字形状のレール溝４が形成され、この発射レール３の基端側には球Ｗが周知の手段により順次１個宛供給されるようになっている。また、この発射レール３には図示はしないが、発射された球Ｗを遊技板側へガイドする外側レールが継承して配設されている。
【０００６】
また、この発射レール３の基端側に指向して叩打部材５が設けられ、この叩打部材５はハンドル６を取付けたアクチュエータ、例えば発射モータ側に連繋されて、叩打部材５の槌先７は取付軸８とこの取付軸８に外嵌状に取付けられる所定のばね圧を有するコイル形状の弾発ばね９とからなり、この槌先７により発射レール３上の球Ｗを、同球Ｗの中心を通る発射方向に叩打して弾くように調節され、この球Ｗと槌先７との間には介打機構Ａが介装されている。
【０００７】
この介打機構Ａは球止め部材である平面部材１０と取付部材１２とからなり、この平面部材１０は弾性を有する例えばばね薄鋼板あるいはステンレス薄鋼板からなるもので、図３に示すように発射レール３とほぼ対応する幅で所定の長さの短冊形状に形成され、その先端側は発射レール３のレール溝４に倣って略Ｖ字形状に切欠きされて先端平面部１１ａが形成され、また、取付け基部側の一側の所定の位置には取付部材１２に取付ける切欠き凹部１１ｂが形成されている。このように形成された平面部材１０は取付部材１２を介してその先端部が発射レール２のレール溝４に嵌込み状に取付けられている。
【０００８】
この取付部材１２は合成樹脂材を射出成形してなるもので、図４に示すように略長方台形状に形成され、その取付面側には肉ぬすみ凹部１３が凹設されて、その取付上部側には平面部材１０の取付部１４が形成されている。この取付部１４には側方（図示手前側）に開口し、図示下方に開口する凹部１５が形成されるとともに、上部取付ボス部１６が形成されている。また、この凹部１５の左右の側壁１５ａ，１５ｂ間の上部奥行き側には平面部材１０の切欠き凹部１１ｂを掛合するリブ１７が形成され、また、側壁１５ａの取付ボス１６とほぼ対応する位置には同ボス１６側に向けて平面部材１０と対応する幅の押圧片１８が形成されている。
【０００９】
また、側壁１５ｂ側には押圧片１８とにより平面部材１０の基部側を挾持固定するため、リブ１７に近接した位置に所定の高さで押圧片１８と対応する幅で突出する奥行き挾持凸部１９が形成され、また、取付ボス１６の凹部１５の開口端には奥行き挾持凸部１９と対応する開口挾持凸部２０が形成されている。また、この取付部材１２の下部側には下部取付ボス２１が形成され、この下部取付ボス２１には取付部１４に取付けられた平面部材１０の延出側の所定の位置を当接支持する支持凸部２２が突出形成されている。また、側壁１５ａの押圧片１８と支持凸部２２との間の所定の位置には例えばウレタンフォームあるいは合成ゴム等からなる緩衝部材２３が貼着されている。
【００１０】
このように形成された取付部材１２には取付部１４の側方開口より平面部材１０の基部側を押圧片１８と挾持凸部１９，２０との間に挿入して同平面部材１０の切欠き凹部１１ｂをリブ１７に嵌込み係合する。この状態で平面部材１０の先端側は緩衝部材２３と支持凸部２２に当接支持されている。このように平面部材１０を取付けた取付部材１２は基台１側の所定の位置に突出状に形成された取付座１ａに下部取付ボス２１を外嵌状に取付けると、平面部材１０の先端平面部１１ａは発射レール３のレール溝４に挿入され、この状態で先端平面部１１ａが球Ｗの中心を通る発射方向に対し角度９０度となる位置に下部取付ボス２１を中心として調節した後、下部取付ボス２１および上部取付ボス１６を基台１側に固定される。この状態で球Ｗが供給されると、平面部材１０の先端平面部１１ａは、球Ｗに対しその中心を通る発射方向の線上のＰ点で点接触される（図２参照）。
【００１１】
次に、上記のように構成された発射装置２の介打機構Ａの作用について説明する。ハンドル６を操作することにより発射モータに連繋された叩打部材５は発射レール３上の球Ｗに向けて所定のスピードで叩打を開始する。この時、発射レール３に供給された球Ｗは、同レール３の端部に臨まれた平面部材１０の先端平面部１１ａに受止められ、同先端平面部１１ａは球Ｗの中心を通る発射方向の線上のＰ点で点接触している。この状態で叩打部材５の槌先７は、球Ｗと平面部材１０の先端平面部１１ａとの接触点Ｐの後部側を叩打することで、平面部材１０はその取付基部を中心（支点）として発射方向へ弾性変位することで、球Ｗは発射方向へ発射される。そして、平面部材１０は弾性復元力により支持凸部２２と緩衝部材２３に当接されて元の位置に復元され、以下叩打部材による連打でこの動作が繰返し行われる。
【００１２】
このように、発射レール３に供給される球Ｗは、発射方向と角度９０度で同レール３の端部に臨まれた平面部材１０の先端平面部１１ａに受止められて、同先端平面部１１ａは球Ｗの中心を通る発射方向の線上のＰ点で点接触されていることから、球Ｗと先端平面部１１ａの接触点Ｐの後部側を叩打することで球Ｗの中心を叩打することとなり、球Ｗは発射方向へ発射される。このことは連打状態にあって、球Ｗが連続的に供給されても先端平面部１１ａに対し常に一定の点Ｐで受止められるとともに、平面部材１０の弾性復元による自己振動は緩衝部材２３により吸収されるので点Ｐの変位はない。これによりハンドル６の操作位置を固定することで球Ｗの飛びが一定されて飛びムラを解消することができ、遊技者は苛立つことがない。また、球Ｗは先端平面部１１ａに対し常に一定の点Ｐで受止められるので、槌先７に若干のズレを生じたとしても、球Ｗは先端平面部１１ａと点Ｐで受止められて一定の飛びとなるので叩打部材５の叩打位置の調節が容易となり、また、平面部材１０と取付部材１２との簡単な構成でコスト面でも有利なものとなる。
【００１３】
次に、図５ないし図７は本発明の第２の実施形態を示すもので、この第２の実施形態は介打機構Ａが異なるのみで、その他の構成は同様であるので介打機構Ａ１について説明する。この介打機構Ａ１は、合成樹脂材を射出成形した球止め部材３０と調整部材４０（取付部材ともいう）とからなり、この球止め部材３０は図６および図７に示すように基台１に形成された取付ボス１ｂに回動可能に取付けられる所定の長さの円筒形状の取付部３１と、この取付部３１の外周の角度９０度範囲には介打部３２が形成されている。
【００１４】
この介打部３２の基部３２ａには、図６に示したように、角度９０度の一方の半径線上に位置して下部当接面３３が取付部３１の高さ方向に沿って形成され、また、この下部当接面３３より所定の角度位置には上部当接面３４が形成され、この基部３２ａには下部当接面３３に対し所定の角度αで叩打面３６を、また、この下部当接面３３より所定の寸法ｈを隔てた平行な線分ａに対し角度βで先端平面部３７を有する叩打凸部３５が形成されている。
【００１５】
また、調整部材４０の基板４１の所定の位置には基台１の取付ボス１ｂを挿通する挿通孔４２が貫設され（図７参照）、この挿通孔４２を中心として球止め部材３０の取付部３１を遊嵌状に嵌込み可能とする筒状体４３が形成されるとともに、この筒状体４３には所定の角度γ（γ＞９０度）で下部規制面４５と上部規制面４６を有する開口部４４が形成され、上部規制面４６に連続して縁片４７が形成されている。また、この下部規制面４５には所定の肉厚で軟質の樹脂材が複合形成されて緩衝部４８が形成されている。
【００１６】
このように形成された調整部材４０は、その筒状体４３が挿通孔４２を介して基台１の取付ボス１ｂに嵌込まれ、この筒状体４３には球止め部材３０の取付部３１が取付ボス１ｂに外嵌されて嵌込まれるとともに、この筒状体４３には図７に示すように蓋部材４９が取付けられて球止め部材３０は抜け止めされている。この蓋部材４９は筒状体４３の上縁に当接されるフランジ部５０とこのフランジ部５０の内側面には筒状体４３の内径部に印籠状に嵌合する段差部５１と、さらにその内側には取付ボス１ｂと同径の軸部５２が同心に形成され、同軸心には取付ボス１ｂの孔と整合するビス孔５３が形成されている。このように形成されて蓋部材４９をビス５４を介して取付ボス１ｂに取付けると、球止め部材３０の取付部３１の外周面と左右の端面とには所定の隙間を有して回動可能に取付けられる。
【００１７】
このようにして取付けられる介打機構Ａ１の取付けは、ビス５４を弛めた状態にして調整部材４０を取付ボス１ｂを中心として例えば時計方向に回動する。これにより球止め部材３０の介打部３２の下部当接面３３は調整部材４０の下部規制面４５に当接された状態で同球止め部材３０は取付ボス１ｂを中心として時計方向へ一体に回動される。この回動過程で叩打凸部３５に形成した先端平面部３７は発射方向に対し９０度となるように調整され、ビス５４を締付け固定することで球止め部材３０は下部規制面４５により位置保持される。
【００１８】
この介打機構Ａ１を介装した発射装置において、発射レール３に供給された球Ｗは同レール３の端部に臨まれた叩打凸部３５に受止められ、同叩打凸部３５の先端平面部３７は球Ｗの中心を通る発射方向の線上の点Ｐで点接触されている。この状態で叩打部材５の槌先７が叩打面３６を叩打することで、球止め部材３０は取付ボス１ｂを中心として発射方向へ回動され、球Ｗは発射方向へ発射される。そして、この球止め部材３０は回動されるとその介打部３２の上部当接面３４は調整部材４０の上部規制面４６に衝突し、その反作用で跳ね返されて同部材３０の下部当接面３３が調整部材４０の下部規制面４５に当接される。この下部規制面４５は緩衝部材４８で形成されているので当接力は吸収される。以下叩打部材５による連打でこの動作が繰返し行われる。
【００１９】
このように、発射レール３に供給された球Ｗは、発射方向と角度９０度で同レール３上に臨まれた叩打凸部３５の先端平面部３７に受止められて、同先端平面部３７は球Ｗの中心を通る発射方向の線上の点Ｐで点接触されるので、この叩打凸部３５の叩打面３６を叩打することで、球Ｗの中心を叩打することとなり、球Ｗは発射方向へ発射される。このことは連打状態にあって、球Ｗが連続的に供給されても先端平面部３７に対し常に一定の点Ｐで受止められるとともに、球止め部材３０の反作用により下部規制面４５に対する当接力は緩衝部材４８により吸収されるので点Ｐの変位はない。これによりハンドル６の操作位置を固定することで球Ｗの飛びが一定されて飛びムラを解消することができ、遊技者は苛立つことがない。また、球Ｗは先端平面部１１ａに対し常に一定の点Ｐで受止められるので、槌先７に若干のズレを生じたとしても、球Ｗは先端平面部１１ａと点Ｐで受止められて一定の飛びとなるので叩打部材５の叩打位置の調節が容易となり、また、叩打凸部３５の先端平面部３７の発射方向に対する角度調節は調整部材４０の下部規制面４５を取付ボス１ｂ回りに移動調節することで容易に行うことができる。また、球止め部材３０と調節部材４０との簡単な構成でコスト面でも有利なものとなる。
【００２０】
次に、図８は本発明の第３の実施形態を示し、この介打機構Ａ２は第１実施形態の変更例であって、この介打機構Ａ２は基台１に取付けられる取付部材６０と平面部材６６とより構成されている。この両部材６０，６６は合成樹脂材からなり、取付部材６０は基台１の所定の位置に形成された取付座１ａあるいは取付ボス１ｂ等に取付けられるもので、略長方台形状に形成され、図示上部側には平面部材６６の取付部６１が一体に形成され、同取付部６１の所定の位置には平面部材６６を枢着する上部軸ピン６２が突設されている。また、取付部材６０の下端部側の所定の位置には上部軸ピン６２と対応して下部軸ピン６３が突設され、この下部軸ピン６３には緩衝部材６４が取付けられている。この緩衝部材６４は弾性を有する合成樹脂材あるいは合成ゴム等からなるもので、所定の径で例えば発射レール３の幅とほぼ対応する厚さの円盤状に形成され、この緩衝部材６４の中心より所定の寸法偏心した位置に下部軸ピン６３と嵌合する偏心孔６５が貫設されている。
【００２１】
また、平面部材６６は所定の長さで発射レール３と対応する幅の短冊形状で所定の肉厚で形成され、その先端側は発射レール３のレール溝４に倣って略Ｖ字形状に形成されて先端平面部６７が形成され、また、取付基端部側には上部軸ピン６２を支点として回動可能に外嵌する取付ボス６８が形成されている。
【００２２】
このように形成された取付部材６０の上部軸ピン６２には平面部材６６が取付ボス６８を介して回動可能に取付けられるとともに、この上部軸ピン６２と取付ボス６８との間には図示はしないが平面部材６６を緩衝部材６４側へ付勢する戻しばねが設けられている。また、下部軸ピン６３には緩衝部材６４が回動調整可能に取付けられて、この緩衝部材６４に平面部材６６が当接支持され、この状態で取付部材６０は基台１の所定の位置に設けられた取付座１ａあるいは取付ボス１ｂに取付けることで、平面部材６６の先端平面部６７側は発射レール３のレール溝４の端部に挿入される。そして、緩衝部材６４を下部軸ピン６３を中心として回動調整して、同緩衝部材６４に当接された平面部材６６のレール溝４の臨まれた先端平面部６７が球Ｗの中心を通る発射方向と角度９０度となるように位置調整され位置固定される。この状態で先端平面部６７は球Ｗに対しその中心を通る発射線上のＰ点で点接触される。したがって、この第３の実施形態においても、上記第１実施形態および第２実施形態とほぼ同等の作用効果を奏するものである。
【００２３】
なお、叩打部材５を連繋作動するアクチュエータを発射モータで例示したが、ソレノイド型式のものであってもよい。
【図面の簡単な説明】
【図１】  本発明の第１実施形態におけるパチンコ機における発射装置２回りの正面図である。
【図２】  同じく発射レール上の球と槌先と介打機構の平面部材との関係を示す正面図である。
【図３】  同じく平面部材の正面図である。
【図４】  同じく介打機構の正面図である。
【図５】  本発明の第２実施形態における発射レール上の球と槌先と介打機構の平面部材との関係を示す正面図である。
【図６】  同じく球止め部材（平面部材）の正面図である。
【図７】  同じく介打機構の取付部の断面図である。
【図８】  本発明の第３実施形態における発射レール上の球と槌先と介打機構の平面部材との関係を示す正面図である。
【符号の説明】
１  …基台
２  …発射装置
３  …発射レール
５  …叩打部材
１０，３０，６６  …球止め部材
１２，４０，６０  …取付部材
２３，４８，６４  …緩衝部材
Ｗ  …球
【図１】
0004001189.tif 000002
【図２】
0004001189.tif 000003
【図３】
0004001189.tif 000004
【図４】
0004001189.tif 000005
【図５】
0004001189.tif 000006
【図６】
0004001189.tif 000007
【図７】
0004001189.tif 000008
【図８】
0004001189.tif 000009